(57)【要約】【課題】  移動式灰皿本体の共用化を図ると共にカップホルダに飲料容器保持中でも使用できるようにする。【解決手段】  カップホルダ１に保持可能な移動式灰皿本体１６と、カップホルダ１に形成された廻止用受部に係合可能な廻止部２１とを備えた移動式灰皿であって、移動式灰皿本体１６に対して着脱可能にリング部材２２を設け、このリング部材２２に廻止部２１を形成するようにしている。【選択図】        図１
2006069405.tif 000002
【特許請求の範囲】
【請求項１】
カップホルダに保持可能な移動式灰皿本体と、
前記カップホルダに形成された廻止用受部に係合可能な廻止部とを備えた移動式灰皿において、
前記移動式灰皿本体に対して着脱可能にリング部材を設け、該リング部材に前記廻止部を形成したことを特徴とする移動式灰皿。
【請求項２】
前記移動式灰皿本体が、カップホルダ手前側の意匠面と対向する受面を備え、
前記リング部材が、前記受面との間で前記意匠面の縁部に係止保持可能な係止爪部を備えたことを特徴とする請求項１記載の移動式灰皿。
【発明の詳細な説明】
【技術分野】
【０００１】
この発明は、移動式灰皿に関するものである。
【背景技術】
【０００２】
自動車などの車両には、車室内にカップホルダ装置が設置されている。一方、車室内用の灰皿は、固定式灰皿から、車室内での移動が可能な移動式灰皿に切替えられつつある。この移動式灰皿には、カップホルダ装置の飲料容器保持部に保持可能としたものが存在している（例えば、特許文献１参照）。
【０００３】
より具体的には、上記移動式灰皿は、図４、図５に示すように、カップホルダ装置の飲料容器保持部に保持可能な移動式灰皿本体ａと、この移動式灰皿本体ａに開閉可能に設けられた蓋部ｂとを備えており、移動式灰皿本体ａには、飲料容器保持部などに形成された廻止用受部に係合可能な廻止部ｃが備えられている。
【特許文献１】実開平６−７５８７７号公報
【発明の開示】
【発明が解決しようとする課題】
【０００４】
しかしながら、上記移動式灰皿には、以下のような問題があった。
【０００５】
即ち、移動式灰皿では、蓋部ｂの開閉方向には向きがあるため、カップホルダ装置の飲料容器保持部に対して移動式灰皿本体ａを位置合せし且つ廻らないように保持する必要がある。この位置合せおよび廻り止めのために、飲料容器保持部に廻止用受部を形成し、移動式灰皿本体ａに廻止部ｃを形成して、廻止用受部と廻止部ｃとを係合させるようにしているが、廻止用受部を形成可能な位置や廻止用受部の形状はカップホルダ装置の形状や規格などによって異なってしまうため、廻止部ｃも専用設計としなければならず、移動式灰皿本体ａを共用品とすることができなかった。
【０００６】
また、カップホルダ装置の飲料容器保持部に飲料容器を保持している間は、置き場がなくなるため移動式灰皿を使用することができないという問題もあった。
【課題を解決するための手段】
【０００７】
上記課題を解決するために、請求項１に記載された発明では、カップホルダに保持可能な移動式灰皿本体と、前記カップホルダに形成された廻止用受部に係合可能な廻止部とを備えた移動式灰皿において、前記移動式灰皿本体に対して着脱可能にリング部材を設け、該リング部材に前記廻止部を形成した移動式灰皿を特徴としている。
【０００８】
請求項２に記載された発明では、前記移動式灰皿本体が、カップホルダ手前側の意匠面と対向する受面を備え、前記リング部材が、前記受面との間で前記意匠面の縁部に係止保持可能な係止爪部を備えた請求項１記載の移動式灰皿を特徴としている。
【発明の効果】
【０００９】
請求項１の発明によれば、移動式灰皿本体に対して着脱可能に設けられたリング部材に廻止部を形成するようにしたことにより、カップホルダの廻止用受部に応じた廻止部を有するリング部材に交換するだけで、各種のカップホルダに対応することが可能となり、以て、移動式灰皿本体を共用化することが可能となる。
【００１０】
請求項２の発明によれば、移動式灰皿本体に設けた受面と、リング部材に設けた係止爪部とを用いて、カップホルダ手前側の意匠面の縁部に係止保持させることにより、カップホルダが飲料容器を保持中でも灰皿を使用することが可能となる。しかも、カップホルダ手前側の意匠面の縁部に応じた係止爪部を有するリング部材に交換するだけで、各種のカップホルダに対応することが可能となり、以て、移動式灰皿本体を共用化することが可能となる。
【発明を実施するための最良の形態】
【００１１】
以下、本発明を具体化した実施例について、図示例と共に説明する。
【実施例】
【００１２】
図１〜図３は、この発明の実施例を示すものである。
【００１３】
まず、構成を説明すると、自動車などの車両の車室内に、飲料容器を保持可能なカップホルダ１を設ける。このカップホルダ１は、例えば、箱枠状の本体ハウジング２と、この本体ハウジング２に対して引出・収納自在なカップホルダ引出部３とを備えた引出式のものとなっている。本体ハウジング２は、インストルメントパネルなどの内装パネルに形成された開口の裏面側に固定される。カップホルダ引出部３は、上記インストルメントパネルの開口から出入できるように配置される。カップホルダ引出部３の引出方向４の手前寄りの位置には飲料容器保持部５が設けられている。飲料容器保持部５は、例えば、凹形状を呈している。この実施例では、飲料容器保持部５は、左右（引出方向４と直角方向）に２個並べて設置されている。このうち一方の飲料容器保持部５は、側面が可動式となっている。そして、カップホルダ引出部３の引出方向４の手前側部分には、図示しないフランジ部が形成され、このフランジ部の表面にはフィニッシャ部１２が取付けられている。このフィニッシャ部１２は上記開口を塞いでインストルメントパネルなどの内装パネルと面一になるように取付けられている。このフィニッシャ部１２およびフランジ部は、インストルメントパネルなどの内装パネルと同様の傾斜面を有している。この実施例では、傾斜面は奥側へ向かって下り勾配に傾斜している。
【００１４】
そして、カップホルダ引出部３の飲料容器保持部５に保持可能な移動式灰皿１５を設ける。この移動式灰皿１５は、飲料容器保持部５に保持したままカップホルダ引出部３を本体ハウジング２内へ収納できる大きさとなっている。この移動式灰皿１５は、移動式灰皿本体１６と、この移動式灰皿本体１６上端の開口部を開閉可能な蓋部１７とを備えている。移動式灰皿本体１６は、有底の短円筒状をしている。蓋部１７は、移動式灰皿本体１６上端にヒンジを介して開閉可能に軸支されている。
【００１５】
ここで、移動式灰皿１５では、蓋部１７の開閉方向に向きがある。即ち、蓋部１７を開いた時に開口部が手前側にないと移動式灰皿１５を使用することができなくなる。そのため、カップホルダ１の飲料容器保持部５に対して移動式灰皿本体１６を位置合せし且つ廻らないように保持させる必要がある。この位置合せおよび廻り止めのために、飲料容器保持部５に廻止用受部を形成し、移動式灰皿本体１６に廻止部２１を形成して、廻止用受部と廻止部２１とを係合させるようにしている。
【００１６】
そして、この実施例のものでは、廻止部２１を、移動式灰皿本体１６に対して着脱可能に設けられたリング部材２２に形成する。ここで、移動式灰皿本体１６は、上端に蓋部１７を取付けるためのフランジ１６ａを有しており、このフランジ１６ａよりも下方の位置には周溝１６ｂが形成されている。そして、リング部材２２は、移動式灰皿本体１６に下方から嵌着可能な大きさを有している。リング部材２２の外径は、フランジ１６ａの外径とほぼ等しくなっており、嵌着したリング部材２２はフランジ１６ａとがほぼ面一に連なるように構成されている。そして、リング部材２２の内周には周溝１６ｂに合致する突条２２ａが周方向に形成されており、周溝１６ｂと突条２２ａとの嵌合によってリング部材２２の抜け止めが行われるようになっている。また、移動式灰皿本体１６のフランジ１６ａには部分的な切込１６ｃが形成され、リング部材２２には凸部２２ｂが形成され、切込１６ｃに凸部２２ｂが填り込むことによって廻り止めがなされるようになっている。この切込１６ｃおよび凸部２２ｂは、蓋部１７のヒンジ側に設けるようにする。
【００１７】
また、移動式灰皿本体１６に、カップホルダ１手前側の意匠面（フィニッシャ部１２）と対向する受面２３を設ける。この受面２３は、短円筒状の移動式灰皿本体１６を一部切欠いて平坦な面２２ｃを形成し、この平坦な面２２ｃの部分に形成する。これに対し、リング部材２２に、受面２３との間で意匠面の縁部に係止保持可能な係止爪部２４を設ける。受面２３および係止爪部２４は、蓋部１７のヒンジ側に設けるようにする。これに伴い、飲料容器保持部５には、係止爪部２４との干渉を防止可能な座繰部２５を設ける。
【００１８】
そして、カップホルダ１には、係止保持中の移動式灰皿１５の係止爪部２４を固定・解除可能なロック機構２６を設ける。
【００１９】
次に、この実施例の作用について説明する。
【００２０】
移動式灰皿１５は、カップホルダ引出部３の飲料容器保持部５に保持した状態でカップホルダ１に収容される。カップホルダ引出部３は移動式灰皿１５を収容した状態で引出・収納自在となっている。
【００２１】
そして、飲料容器保持部５に飲料容器を保持しない場合には、飲料容器保持部５に保持した状態で、蓋部１７を開くことにより、移動式灰皿１５を使用することができる。
【００２２】
この際、飲料容器保持部５に形成した廻止用受部と、移動式灰皿本体１６に形成した廻止部２１とを係合させることにより、位置合せおよび廻り止めが行われる。これにより、蓋部１７を開いた時に移動式灰皿本体１６の開口部が常に手前側にある状態に保たれる。なお、移動式灰皿本体１６の係止爪部２４と、飲料容器保持部５の座繰部２５とによって、位置合せおよび廻り止めを行わせることもできる。
【００２３】
また、飲料容器保持部５に飲料容器を保持する際には、飲料容器保持部５から移動式灰皿１５を取出して、カップホルダ１表面のフィニッシャ部１２の上縁部に係止爪部２４を引掛けることにより移動式灰皿１５を係止保持することができる。このようにすることにより、飲料容器と移動式灰皿１５とを同時に保持して使用することが可能となる。
【００２４】
この際、カップホルダ１に設けたロック機構２６を用いて係止保持中の移動式灰皿１５の係止爪部２４を固定することにより、移動式灰皿１５を安定して保持することができる。反対に、ロック機構２６を操作して移動式灰皿１５の保持を解除することにより、移動式灰皿１５を取外して移動することもできる。
【００２５】
この実施例によれば、移動式灰皿本体１６に対して着脱可能に設けられたリング部材２２に廻止部２１を形成するようにしたことにより、カップホルダ１の廻止用受部に応じた廻止部２１を有するリング部材２２に交換するだけで、各種のカップホルダ１に対応することが可能となり、以て、移動式灰皿本体１６を共用化することが可能となる。
【００２６】
また、移動式灰皿本体１６に設けた受面２３と、リング部材２２に設けた係止爪部２４とを用いて、カップホルダ１手前側の意匠面（フィニッシャ部１２）の縁部に係止保持させることにより、カップホルダ１が飲料容器を保持中でも灰皿を使用することが可能となる。しかも、カップホルダ１手前側の意匠面の縁部に応じた係止爪部２４を有するリング部材２２に交換するだけで、各種のカップホルダ１に対応することが可能となり、以て、移動式灰皿本体１６を共用化することが可能となる。
【００２７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２８】
【図１】本発明の実施例の全体斜視図である。
【図２】図１の移動式灰皿を背面側から見た斜視図である。
【図３】図２の移動式灰皿を正面側から見た分解斜視図である。
【図４】従来例の斜視図である。
【図５】図４を下方から見た斜視図である。
【符号の説明】
【００２９】
１    カップホルダ
１６  移動式灰皿本体
２１  廻止部
２２  リング部材
２３  受面
２４  係止爪部
【図１】
2006069405.tif 000003
【図２】
2006069405.tif 000004
【図３】
2006069405.tif 000005
【図４】
2006069405.tif 000006
【図５】
2006069405.tif 000007